【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
カテーテル挿入デバイスであって、
ベースを有するハウジング、
前記ハウジング内に移動可能に配置された可撓性ビーム、
前記ビームに接続された挿入針、
前記ハウジング内に移動可能に配置されたホルダであって、前記挿入針に移動可能に接続されたホルダ、
前記ホルダに接続されてそれを一緒に移動させるカテーテルであって、前記挿入針の少なくとも一部分を取り囲むカテーテル、および、
前記ハウジングに移動可能に接続されており、および、作動時に前記ビームを曲げるように構成されている作動ボタンであって、それによって、前記挿入針および前記カテーテルのそれぞれの末端が前記ベースを通って前記ハウジングの外側へ延びる伸張位置へ、前記挿入針および前記カテーテルをずらせる作動ボタン
を備えたことを特徴とするカテーテル挿入デバイス。
【請求項２】
前記挿入針および前記カテーテルが前記伸張位置に到達したとたんまたは該到達に続いて、前記ビームは、前記作動ボタンから離脱して初期のビーム位置に戻り、それにより、前記挿入針を前記伸張位置から引き抜くように構成されている、請求項１に記載のカテーテル挿入デバイス。
【請求項３】
薬剤を収容するリザーバをさらに含み、前記ビームが前記初期のビーム位置に戻るのに続いて、前記リザーバと前記カテーテルの末端の間の流体通路が前記挿入針を含む、請求項２に記載のカテーテル挿入デバイス。
【請求項４】
前記ホルダを、前記カテーテルが前記伸張位置に到達したとたんにロックするロック機構を備えている、請求項１に記載のカテーテル挿入デバイス。
【請求項５】
前記ビームに接続され前記挿入針を前記ビームに固定するカニューレキャリアを更に備え、
前記ロック機構は、前記ハウジング上に配置された戻り止めであって、前記ホルダが該戻り止めを単一の方向に通り過ぎて移動することを可能にする、戻り止めを含み、および、
前記カニューレキャリアは、該カニューレキャリアが前記戻り止めを複数の方向に通り過ぎて移動することを可能にする切り欠きを有している、請求項４に記載のカテーテル挿入デバイス。
【請求項６】
前記ロック機構は、前記ベース上に配置されおよび前記カテーテルが前記伸張位置に到達したとたんに前記ホルダのアームと解放可能でなく係合するように構成されたスナップを備えている、請求項４に記載のカテーテル挿入デバイス。
【請求項７】
前記カニューレキャリアおよび前記ハウジングの一方がガイドを含み、および、前記カニューレキャリアおよび前記ハウジングの残りの一方がガイドトラックを含み、並びに、前記ガイドと前記ガイドトラックの相互作用が、前記カテーテルの動きを制限する、請求項５に記載のカテーテル挿入デバイス。
【請求項８】
前記カテーテルの前記動きは、前記ベースに対して実質的に垂直に制限されている、請求項７に記載のカテーテル挿入デバイス。
【請求項９】
前記ベースは、開口部であってそれを通って前記カテーテルが延びる開口部の周りに外向きに延びる突出部を含む、請求項１に記載のカテーテル挿入デバイス。
【請求項１０】
前記カニューレキャリア内に配置されたセプタムであって、前記挿入針がそれを通って移動可能に配置されているセプタムをさらに含む、請求項５に記載のカテーテル挿入デバイス。
【請求項１１】
前記作動ボタンは、前記ハウジングの側に回転可能に配置されている、請求項１に記載のカテーテル挿入デバイス。
【請求項１２】
前記作動ボタンが、
把持部、および、
ボタン回転軸に隣接している凹部であって、該回転軸よりも前記把持部の近くにユーザの作動力を印加する凹部を含む、請求項１に記載のカテーテル挿入デバイス。
【請求項１３】
前記作動ボタンと前記ハウジングの一方の上に配置された戻り止めをさらに備え、
前記戻り止めを乗り越えおよび前記作動ボタンを前記ハウジングに対して相対移動させるユーザ作動力は、前記ビームを曲げおよび前記カテーテルを前記伸張位置に移動させるために必要な力と実質的に等しいまたはよりも大きい、請求項１に記載のカテーテル挿入デバイス。
【請求項１４】
キャリア上に配置されたカテーテルを、医療機器のハウジングの内部に配置されたビームに接続された挿入針の周りに挿入する方法において、
前記カテーテルおよび前記挿入針が前記ハウジングの外側の伸張位置に到達するまでの間、作動ボタンを前記ハウジングに対し変位させることによって、前記ビームを撓ませることを含む、方法。
【請求項１５】
前記ビームの端部が前記作動ボタンから離脱しおよび初期のビーム位置に戻るまでの間、前記作動ボタンを前記ハウジングに対し変位させ続け、それによって、前記挿入針を前記伸張位置から引き抜くことをさらに含む、請求項１４に記載の方法。
【請求項１６】
カテーテル挿入デバイスであって、
ベースを有するハウジング、
前記ハウジング内に移動可能に配置された可撓性ビーム、
前記可撓性ビームに接続された挿入針、
前記ハウジング内に移動可能に配置されたホルダであって、前記挿入針に移動可能に接続されたホルダ、
前記ホルダに接続されてそれを一緒に移動させるカテーテルであって、前記挿入針の少なくとも一部分を取り囲むカテーテル、および、
前記ハウジングに移動可能に接続されており、および、作動時に前記ビームを曲げるように構成されている作動ボタンであって、それによって、前記挿入針および前記カテーテルのそれぞれの末端が前記ベースを通って前記ハウジングの外側へ延びる伸張位置へ、前記挿入針および前記カテーテルを移動させる作動ボタン
とを備え、
前記作動ボタンは、前記挿入針および前記カテーテルが前記伸張位置に到達したとたんに、移動を継続しおよび前記可撓性ビームをさらに撓ませるように構成されており、
前記可撓性ビームは、前記挿入針および前記カテーテルが前記伸張位置に到達し、および、さらに撓み、前記作動ボタンからから離脱して初期のビーム位置に戻り、それにより、前記挿入針を前記伸張位置から引き抜いて、および、前記挿入針の引き抜きに先立って前記カテーテルの十分な挿入を確実にするように構成されていることを特徴とするカテーテル挿入デバイス。
【手続補正２】
【補正対象書類名】明細書
【補正対象項目名】００３９
【補正方法】変更
【補正の内容】
【００３９】
さらに、図１０に示された状態において、ビーム５１０の第１の端部５２４は、滑ってボタン５０２の端部５２８を通り過ぎ、該端部との接触から脱する。言い換えれば、ビーム５１０の第１の端部５２４は、ボタン５０２の端部５２８で滑り、すなわち該端部から離脱する。ボタンの端部５２８はビーム５１０をもはや拘束せず屈曲させないことから、ビーム５１０は図１１に示すようにその初期状態に戻り、カニューレキャリア５１６（および、したがって挿入針５１４）を、セプタムホルダ５１８、セプタム５２０、および、ソフトカテーテル５２２に対して基端方向にずらせる。ビームの初期状態へ復帰すると、挿入針５１４の末端部分はセプタム５２０と接触したままであり、および、挿入針５１４の末端の先端部はソフトカテーテル５２２の基端内に配置されたままであり、それにより、リザーバとソフトカテーテル５２２の末端との間に、流体経路の一部が残る。換言すれば、挿入針５１４は、ソフトカテーテル５２２内に残り、および、セプタム５２０によってシールされて、漏れのない流体経路を提供する。これらの特徴は、本発明の他の実施形態において使用でき、他の開示された特徴と組み合わせ得ることを理解できよう。